(57)【特許請求の範囲】
【請求項１】
底板、左右の側板、後板からなる前面及び上面が開口した合成樹脂製の枠本体と、該枠本体の上面を覆う合成樹脂製の天板体と、該枠本体の前面の開口を介して引出収納自在に設けられ、底板、前板、左右の側板、後板からなる上面が開口した合成樹脂製の引出体とからなり、上記枠本体の底板の内底面の左右両側にそれぞれ凹条状のレール溝部が形成され、該枠本体の底板の内底面の左右両側にそれぞれ該各レール溝部の外方位置にして上記引出体の左右の側板の外側面に摺動可能なガイド壁部が形成され、該引出体の底板の外底面後部左右両側にそれぞれ該左右両側のレール溝部に摺動自在に嵌合可能なガイド突部が形成され、上記レール溝部の溝面に上記引出体の引出収納方向の手前側及び奥側に上記ガイド突部が落込可能な落込凹部がそれぞれ形成され、該溝面の該手前側及び奥側の各落込凹部の中間部分に山頂部が形成され、該手前側の落込凹部から山頂部までの溝面は手前側から奥側に向かって登り上がる斜面に形成され、該山頂部から奥側の落込凹部までの溝面は水平面に形成され、該ガイド突部は、上記引出体の収納時にあっては、手前側の落込凹部から抜け出し、斜面を登り上がり摺動し、山頂部を通過したのち、水平面を水平摺動して奥側の落込凹部に落ち込み、上記引出体の引出時にあっては、奥側の落込凹部から抜け出し、水平面を水平摺動し、山頂部を通過したのち、斜面を下り降り摺動して手前側の落込凹部に落ち込むように設けられていることを特徴とする収納ケース。
【請求項２】
底板、左右の側板、後板からなる前面及び上面が開口し、上下に積み重ね可能な複数個の合成樹脂製の枠本体と、該積み重ねられた最上位の枠本体の上面を覆う合成樹脂製の天板体と、該複数個の枠本体の前面の開口を介してそれぞれ引出収納自在に設けられ、底板、前板、左右の側板、後板からなる上面が開口した合成樹脂製の引出体とからなり、上記複数個の枠本体の底板の内底面の左右両側にそれぞれ凹条状のレール溝部が形成され、該枠本体の底板の内底面の左右両側にそれぞれ該各レール溝部の外方位置にして上記引出体の左右の側板の外側面に摺動可能なガイド壁部が形成され、該引出体の底板の外底面後部左右両側にそれぞれ該左右両側のレール溝部に摺動自在に嵌合可能なガイド突部が形成され、上記レール溝部の溝面に上記引出体の引出収納方向の手前側及び奥側に上記ガイド突部が落込可能な落込凹部がそれぞれ形成され、該溝面の該手前側及び奥側の各落込凹部の中間部分に山頂部が形成され、該手前側の落込凹部から山頂部までの溝面は手前側から奥側に向かって登り上がる斜面に形成され、該山頂部から奥側の落込凹部までの溝面は水平面に形成され、該ガイド突部は、上記引出体の収納時にあっては、手前側の落込凹部から抜け出し、斜面を登り上がり摺動し、山頂部を通過したのち、水平面を水平摺動して奥側の落込凹部に落ち込み、上記引出体の引出時にあっては、奥側の落込凹部から抜け出し、水平面を水平摺動し、山頂部を通過したのち、斜面を下り降り摺動して手前側の落込凹部に落ち込むように設けられていることを特徴とする収納ケース。
【発明の詳細な説明】
【技術分野】
【０００１】
本発明は、例えば一般家庭に設置されて衣類や各種小物類等を整理収納する際に用いられる収納ケースに関するものである。
【背景技術】
【０００２】
従来、この種の収納ケースとして、前面及び上面が開口した合成樹脂製の枠本体と、枠本体の上面を覆う合成樹脂製の天板体と、枠本体の前面の開口を介して引出収納自在に設けられ、上面が開口した合成樹脂製の引出体とからなる構造のものが知られている。
【先行技術文献】
【特許文献】
【０００３】
【特許文献１】実用新案登録第３１７５８２７号
【発明の概要】
【発明が解決しようとする課題】
【０００４】
しかしながらこれら従来構造の場合、上記引出体を上記枠本体に引出収納するに際し、引出体は枠本体の底板上に載置されているから、引出体内の収納物の重量によっては引出体と枠本体との摺動摩擦が過大となって引出体を容易に引出収納することが困難なことがあるという不都合を有している。
【課題を解決するための手段】
【０００５】
本発明はこれらの不都合を解決することを目的とするもので、本発明のうちで、請求項１記載の発明は、底板、左右の側板、後板からなる前面及び上面が開口した合成樹脂製の枠本体と、該枠本体の上面を覆う合成樹脂製の天板体と、該枠本体の前面の開口を介して引出収納自在に設けられ、底板、前板、左右の側板、後板からなる上面が開口した合成樹脂製の引出体とからなり、上記枠本体の底板の内底面の左右両側にそれぞれ凹条状のレール溝部が形成され、該枠本体の底板の内底面の左右両側にそれぞれ該各レール溝部の外方位置にして上記引出体の左右の側板の外側面に摺動可能なガイド壁部が形成され、該引出体の底板の外底面後部左右両側にそれぞれ該左右両側のレール溝部に摺動自在に嵌合可能なガイド突部が形成され、上記レール溝部の溝面に上記引出体の引出収納方向の手前側及び奥側に上記ガイド突部が落込可能な落込凹部がそれぞれ形成され、該溝面の該手前側及び奥側の各落込凹部の中間部分に山頂部が形成され、該手前側の落込凹部から山頂部までの溝面は手前側から奥側に向かって登り上がる斜面に形成され、該山頂部から奥側の落込凹部までの溝面は水平面に形成され、該ガイド突部は、上記引出体の収納時にあっては、手前側の落込凹部から抜け出し、斜面を登り上がり摺動し、山頂部を通過したのち、水平面を水平摺動して奥側の落込凹部に落ち込み、上記引出体の引出時にあっては、奥側の落込凹部から抜け出し、水平面を水平摺動し、山頂部を通過したのち、斜面を下り降り摺動して手前側の落込凹部に落ち込むように設けられていることを特徴とする収納ケースにある。
【０００６】
又、請求項２記載の発明は、底板、左右の側板、後板からなる前面及び上面が開口し、上下に積み重ね可能な複数個の合成樹脂製の枠本体と、該積み重ねられた最上位の枠本体の上面を覆う合成樹脂製の天板体と、該複数個の枠本体の前面の開口を介してそれぞれ引出収納自在に設けられ、底板、前板、左右の側板、後板からなる上面が開口した合成樹脂製の引出体とからなり、上記複数個の枠本体の底板の内底面の左右両側にそれぞれ凹条状のレール溝部が形成され、該枠本体の底板の内底面の左右両側にそれぞれ該各レール溝部の外方位置にして上記引出体の左右の側板の外側面に摺動可能なガイド壁部が形成され、該引出体の底板の外底面後部左右両側にそれぞれ該左右両側のレール溝部に摺動自在に嵌合可能なガイド突部が形成され、上記レール溝部の溝面に上記引出体の引出収納方向の手前側及び奥側に上記ガイド突部が落込可能な落込凹部がそれぞれ形成され、該溝面の該手前側及び奥側の各落込凹部の中間部分に山頂部が形成され、該手前側の落込凹部から山頂部までの溝面は手前側から奥側に向かって登り上がる斜面に形成され、該山頂部から奥側の落込凹部までの溝面は水平面に形成され、該ガイド突部は、上記引出体の収納時にあっては、手前側の落込凹部から抜け出し、斜面を登り上がり摺動し、山頂部を通過したのち、水平面を水平摺動して奥側の落込凹部に落ち込み、上記引出体の引出時にあっては、奥側の落込凹部から抜け出し、水平面を水平摺動し、山頂部を通過したのち、斜面を下り降り摺動して手前側の落込凹部に落ち込むように設けられていることを特徴とする収納ケースにある。
【発明の効果】
【０００７】
本発明は上述の如く、請求項１記載の発明にあっては、上記枠本体の底板の内底面の左右両側にそれぞれ凹条状のレール溝部が形成され、枠本体の底板の内底面の左右両側にそれぞれ各レール溝部の外方位置にして上記引出体の左右の側板の外側面に摺動可能なガイド壁部が形成され、引出体の底板の外底面後部左右両側にそれぞれ左右両側のレール溝部に摺動自在に嵌合可能なガイド突部が形成されているから、引出体は引出体の左右の側板の外側面とガイド壁部との摺動案内及びレール溝部とガイド突部との摺動により引出収納されることになり、この摺動案内及び摺動により引出体を枠本体に対して容易に引出収納することができ、使用の利便性を高めることができ、かつ、上記レール溝部の溝面に上記引出体の引出収納方向の手前側及び奥側に上記ガイド突部が落込可能な落込凹部がそれぞれ形成され、溝面の手前側及び奥側の各落込凹部の中間部分に山頂部が形成され、手前側の落込凹部から山頂部までの溝面は手前側から奥側に向かって登り上がる斜面に形成され、山頂部から奥側の落込凹部までの溝面は水平面に形成され、ガイド突部は、上記引出体の収納時にあっては、手前側の落込凹部から抜け出し、斜面を登り上がり摺動し、山頂部を通過したのち、水平面を水平摺動して奥側の落込凹部に落ち込み、上記引出体の引出時にあっては、奥側の落込凹部から抜け出し、水平面を水平摺動し、山頂部を通過したのち、斜面を下り降り摺動して手前側の落込凹部に落ち込むように設けられているから、引出体を枠本体内から引き出すときは、奥側の落込凹部に落ち込んでいるガイド突部は落込凹部から抜け出し、水平面を水平摺動し、中間部分の山頂部を通過したのち、斜面を下り降り摺動して手前側の落込凹部に落ち込むことになり、又、逆に、引出体を枠本体内に収納するときは、手前側の落込凹部に落ち込んでいるガイド突部は落込凹部から抜け出し、落込凹部から抜け出したガイド突部は斜面を登り上がり摺動し、中間部分の山頂部を通過したのち、ガイド突部は水平面を水平摺動して奥側の落込凹部に落ち込むことになり、したがって、引出体の収納時においては、手前側の落込凹部から中間部分までは比較的強い力で摺動させたのち、軽い力で水平摺動させ、その後、奥側の落込凹部に落ち込ませ、引出時においては、中間部分までは軽い力で水平摺動させたのち、さらに軽い力で下り降り摺動させ、その後、手前側の落込凹部に落ち込ませることができ、収納時には斜面を登り上がり摺動したのち水平摺動するので、引出体を楽に収納することができると共に水平面を摺動してきたガイド突部は奥側の落込凹部に急に落ち込むため引出体が完全に収納されたことを手応えで感得することもでき、かつ、ガイド突部と落込凹部との落込み及び抜出作用により引出体を収納端及び引出端に確実に位置させることができ、枠本体の設置状態や引出体内の収納物の収納状態、あるいは外力が加わった場合等において、引出体が前方に飛び出してくることを防ぐことができ、しかも、引出時には中間部分から斜面を下り降り摺動するので、引出体を楽に引き出すことができ、使用の利便性及び使用の安全性を高めることができる。
【０００８】
又、請求項２記載の発明にあっては、上記枠本体の底板の内底面の左右両側にそれぞれ凹条状のレール溝部が形成され、枠本体の底板の内底面の左右両側にそれぞれ各レール溝部の外方位置にして上記引出体の左右の側板の外側面に摺動可能なガイド壁部が形成され、引出体の底板の外底面後部左右両側にそれぞれ左右両側のレール溝部に摺動自在に嵌合可能なガイド突部が形成されているから、各々の引出体は引出体の左右の側板の外側面とガイド壁部との摺動案内及びレール溝部とガイド突部との摺動により引出収納されることになり、この摺動案内及び摺動により引出体を枠本体に対して容易に引出収納することができ、使用の利便性を高めることができ、かつ、上記レール溝部の溝面に上記引出体の引出収納方向の手前側及び奥側に上記ガイド突部が落込可能な落込凹部がそれぞれ形成され、溝面の手前側及び奥側の各落込凹部の中間部分に山頂部が形成され、手前側の落込凹部から山頂部までの溝面は手前側から奥側に向かって登り上がる斜面に形成され、山頂部から奥側の落込凹部までの溝面は水平面に形成され、ガイド突部は、上記引出体の収納時にあっては、手前側の落込凹部から抜け出し、斜面を登り上がり摺動し、山頂部を通過したのち、水平面を水平摺動して奥側の落込凹部に落ち込み、上記引出体の引出時にあっては、奥側の落込凹部から抜け出し、水平面を水平摺動し、山頂部を通過したのち、斜面を下り降り摺動して手前側の落込凹部に落ち込むように設けられているから、引出体を枠本体内から引き出すときは、奥側の落込凹部に落ち込んでいるガイド突部は落込凹部から抜け出し、水平面を水平摺動し、中間部分の山頂部を通過したのち、斜面を下り降り摺動して手前側の落込凹部に落ち込むことになり、又、逆に、引出体を枠本体内に収納するときは、手前側の落込凹部に落ち込んでいるガイド突部は落込凹部から抜け出し、落込凹部から抜け出したガイド突部は斜面を登り上がり摺動し、中間部分の山頂部を通過したのち、ガイド突部は水平面を水平摺動して奥側の落込凹部に落ち込むことになり、したがって、引出体の収納時においては、手前側の落込凹部から中間部分までは比較的強い力で摺動させたのち、軽い力で水平摺動させ、その後、奥側の落込凹部に落ち込ませ、引出時においては、中間部分までは軽い力で水平摺動させたのち、さらに軽い力で下り降り摺動させ、その後、手前側の落込凹部に落ち込ませることができ、収納時には斜面を登り上がり摺動したのち水平摺動するので、引出体を楽に収納することができると共に水平面を摺動してきたガイド突部は奥側の落込凹部に急に落ち込むため引出体が完全に収納されたことを手応えで感得することもでき、かつ、ガイド突部と落込凹部との落込み及び抜出作用により引出体を収納端及び引出端に確実に位置させることができ、枠本体の設置状態や引出体内の収納物の収納状態、あるいは外力が加わった場合等において、引出体が前方に飛び出してくることを防ぐことができ、しかも、引出時には中間部分から斜面を下り降り摺動するので、引出体を楽に引き出すことができ、使用の利便性及び使用の安全性を高めることができる。
【図面の簡単な説明】
【０００９】
【図１】本発明の実施の第一形態例の全体斜視図である。
【図２】本発明の実施の第一形態例の全体分解斜視図である。
【図３】本発明の実施の第一形態例の全体断面図である。
【図４】本発明の実施の第一形態例の部分横断面図である。
【図５】本発明の実施の第一形態例の部分平断面図である。
【図６】本発明の実施の第一形態例の部分断面図である。
【図７】本発明の実施の第一形態例の説明断面図である。
【図８】本発明の実施の第一形態例の部分斜視図である。
【図９】本発明の実施の第一形態例の部分平面図である。
【図１０】本発明の実施の第一形態例の部分断面図である。
【図１１】本発明の実施の第一形態例の部分断面図である。
【図１２】本発明の実施の第一形態例の部分断面図である。
【図１３】本発明の実施の第二形態例の全体斜視図である。
【図１４】本発明の実施の第二形態例の部分断面図である。
【発明を実施するための形態】
【００１０】
図１乃至図１４は本発明の実施の形態例を示し、図１乃至図１２は請求項１の発明に対応する第一形態例、図１３、図１４は請求項２の発明に対応する第二形態例である。
【００１１】
図１乃至図１２の第一形態例において、１は枠本体であって、図１、図２の如く、合成樹脂製にして、底板１ａ、左右の側板１ｂ・１ｂ、後板１ｃからなり、前面及び上面が開口した枠状に形成されている。
【００１２】
２は天板体であって、合成樹脂製にして、上記枠本体１の上面を覆う形状に形成され、説明を省略しているが、枠本体１に係止穴及び係止爪との係止により着脱自在に連結されている。
【００１３】
３は引出体であって、図１、図２の如く、合成樹脂製にして、底板３ａ、前板３ｂ、左右の側板３ｃ・３ｃ、後板３ｄからなり、上面が開口した容器状に形成され、上記枠本体１の前面の開口を介して引出収納自在に設けられている。
【００１４】
４・４はレール溝部であって、図２、図３、図４、図５、図７の如く、上記枠本体１の底板１ａの内底面の左右両側にそれぞれ引出体３の引出収納方向Ｔに延びて凹条状に形成されている。
【００１５】
５・５はガイド壁部であって、図２、図３、図４、図５の如く、上記枠本体１の底板１ａの内底面の左右両側にそれぞれ各レール溝部４・４の外方位置にして上記引出体３の左右の側板３ｃ・３ｃの外側面に摺動可能に形成され、引出体３の底面左右両側に凸状部３ｅ・３ｅが突出形成され、枠本体１に引出体３の引出収納時に引出体３の底面左右両側の凸状部３ｅ・３ｅが摺動する突部１ｅ・１ｅを形成している。
【００１６】
６・６はガイド突部であって、図４、図５、図６、図７の如く、上記引出体３の底板３ａの外底面後部左右両側にそれぞれ左右両側のレール溝部４・４に摺動自在に嵌合可能に形成され、この場合、半円弧板状のかまぼこ板状に突出形成している。
【００１７】
この場合、図５、図６、図７の如く、上記レール溝部４・４の溝面４ａに上記引出体３の引出収納方向Ｔの手前側Ｔ１及び奥側Ｔ２に上記ガイド突部６・６が落込可能な落込凹部４ｂ・４ｃがそれぞれ形成され、溝面４ａの手前側Ｔ１及び奥側Ｔ２の各落込凹部４ｂ・４ｃの中間部分に山頂部４ｄが形成され、手前側Ｔ１の落込凹部４ｂから山頂部４ｄまでの溝面４ａは手前側Ｔ１から奥側Ｔ２に向かって登り上がる斜面４ｅに形成され、山頂部４ｄから奥側の落込凹部４ｃまでの溝面４ａは水平面４ｆに形成され、ガイド突部６・６は、上記引出体３の収納時にあっては、手前側Ｔ１の落込凹部４ｂから抜け出し、斜面４ｅを登り上がり摺動し、山頂部４ｄを通過したのち、水平面４ｆを水平摺動して奥側の落込凹部４ｃに落ち込み、上記引出体３の引出時にあっては、奥側の落込凹部４ｃから抜け出し、水平面４ｆを水平摺動し、山頂部４ｄを通過したのち、斜面４ｅを下り降り摺動して手前側Ｔ１の落込凹部４ｂに落ち込むように設けられている。
【００１８】
７は収納ポケット部であって、図８、図９の如く、上記引出体３の前部に引出体３内の内容物を表示する表示札やメモ厚紙等の表示材Ｈを取替収納可能に形成し、この場合、上記引出体３の左右の側板３ｃ・３ｃの内側面の前部に上記表示材Ｈの裏面の左右縁部にそれぞれ係止可能な左右一対の保持壁部７ａ・７ａを形成し、引出体３の底板３ａの内底面の前部に表示材Ｈの裏面の下縁部に係止可能な保持凸部７ｂを形成して構成している。
【００１９】
８・８は凹溝部、９・９は嵌合凸部であって、図１０、図１１、図１２の如く、上記天板体２の上面前後部にそれぞれ凹溝部８・８が形成され、凹溝部８・８は両端部８ａ・８ａを有する長溝状に形成され、枠本体１の底板１ａの外底面前後部にそれぞれ前後の各凹溝部８・８に摺動自在に嵌合可能な嵌合凸部９・９が形成されている。この場合、前側の嵌合凸部９にゴム足部９ａが設けられ、かつ、前側の嵌合凸部９及び後側の嵌合凸部９に並設してキャスター取付部９ｂ・９ｂを設けている。
【００２０】
この実施の第一形態例は上記構成であるから、図１、図２の如く、上記引出体３を枠本体１の前面の開口を介して引出収納して衣類や各種小物類等を整理収納することになり、この際、図２、図３、図４、図５の如く、上記枠本体１の底板１ａの内底面の左右両側にそれぞれ凹条状のレール溝部４・４が形成され、枠本体１の底板１ａの内底面の左右両側にそれぞれ各レール溝部４・４の外方位置にして上記引出体３の左右の側板３ｃ・３ｃの外側面に摺動可能なガイド壁部５・５が形成され、引出体３の底板３ａの外底面後部左右両側にそれぞれ左右両側のレール溝部４・４に摺動自在に嵌合可能なガイド突部６・６が形成されているから、図３、図４、図６の如く、引出体３は引出体３の左右の側板３ｃ・３ｃの外側面とガイド壁部５・５との摺動案内及びレール溝部４・４とガイド突部６・６との摺動により引出収納されることになり、この摺動案内及び摺動により引出体３を枠本体１に対して容易に引出収納することができ、使用の利便性を高めることができる。
【００２１】
この場合、図６、図７の如く、上記レール溝部４・４の溝面４ａに上記引出体３の引出収納方向Ｔの手前側Ｔ１及び奥側Ｔ２に上記ガイド突部６・６が落込可能な落込凹部４ｂ・４ｃがそれぞれ形成され、溝面４ａの手前側Ｔ１及び奥側Ｔ２の各落込凹部４ｂ・４ｃの中間部分に山頂部４ｄが形成され、手前側Ｔ１の落込凹部４ｂから山頂部４ｄまでの溝面４ａは手前側Ｔ１から奥側Ｔ２に向かって登り上がる斜面４ｅに形成され、山頂部４ｄから奥側の落込凹部４ｃまでの溝面４ａは水平面４ｆに形成され、ガイド突部６・６は、上記引出体３の収納時にあっては、手前側Ｔ１の落込凹部４ｂから抜け出し、斜面４ｅを登り上がり摺動し、山頂部４ｄを通過したのち、水平面４ｆを水平摺動して奥側Ｔ２の落込凹部４ｃに落ち込み、上記引出体３の引出時にあっては、奥側Ｔ２の落込凹部４ｃから抜け出し、水平面４ｆを水平摺動し、山頂部４ｄを通過したのち、斜面４ｅを下り降り摺動して手前側Ｔ１の落込凹部４ｂに落ち込むように設けられているから、引出体３を枠本体１内から引き出すときは、奥側Ｔ２の落込凹部４ｃ・４ｃに落ち込んでいるガイド突部６・６は落込凹部４ｃ・４ｃから抜け出し、水平面４ｆを水平摺動し、中間部分の山頂部４ｄを通過したのち、斜面４ｅを下り降り摺動して手前側Ｔ１の落込凹部４ｂ・４ｂに落ち込むことになり、又、逆に、引出体３を枠本体１内に収納するときは、手前側Ｔ１の落込凹部４ｂ・４ｂに落ち込んでいるガイド突部６・６は落込凹部４ｂ・４ｂから抜け出し、落込凹部４ｂ・４ｂから抜け出したガイド突部６・６は斜面４ｅを登り上がり摺動し、中間部分の山頂部４ｄを通過したのち、ガイド突部６・６は水平面４ｆを水平摺動して奥側Ｔ２の落込凹部４ｃ・４ｃに落ち込むことになる。
【００２２】
したがって、引出体３の収納時においては、手前側Ｔ１の落込凹部４ｂ・４ｂから中間部分までは比較的強い力で摺動させたのち、軽い力で水平摺動させ、その後、奥側Ｔ２の落込凹部４ｃ・４ｃに落ち込ませ、引出時においては、中間部分までは軽い力で水平摺動させたのち、さらに軽い力で下り降り摺動させ、その後、手前側Ｔ１の落込凹部４ｂ・４ｂに落ち込ませることができ、収納時には斜面４ｅ・４ｅを登り上がり摺動したのち水平摺動するので、引出体３を楽に収納することができると共に水平面４ｆを摺動してきたガイド突部６・６は奥側Ｔ２の落込凹部４ｃ・４ｃに急に落ち込むため引出体３が完全に収納されたことを手応えで感得することもでき、かつ、ガイド突部６・６と落込凹部４ｂ・４ｂ・４ｃ・４ｃとの落込み及び抜出作用により引出体３を収納端及び引出端に確実に位置させることができ、枠本体１の設置状態や引出体３内の収納物の収納状態、あるいは外力が加わった場合等において、引出体３が前方に飛び出してくることを防ぐことができ、しかも、引出時には中間部分から斜面４ｅ・４ｅを下り降り摺動するので、引出体３を楽に引き出すことができ、使用の利便性及び使用の安全性を高めることができる。
【００２３】
又、この場合、図８、図９の如く、上記引出体３の前部に引出体３内の内容物を表示する表示札やメモ厚紙等の表示材Ｈを取替収納可能な収納ポケット部７が形成されているから、文字、模様、色彩等の区別可能な数種類の表示材Ｈを用意し、例えば、親と子供、男性と女性等に応じて表示材Ｈを選択的に取り替えて配置することにより引出体３内の収納物を認識することができ、かつ、この場合、引出体３の前板３ｂを透明材又は半透明材で形成することにより、引出体３を引き出さずとも外部から視認することができ、使用の利便性を高めることができ、さらに、この場合、上記引出体３の左右の側板３ｃ・３ｃの内側面の前部に上記表示材Ｈの裏面の左右縁部にそれぞれ係止可能な左右一対の保持壁部７ａ・７ａを形成し、引出体３の底板３ａの内底面の前部に表示材Ｈの裏面の下縁部に係止可能な保持凸部７ｂを形成して構成しているから、表示材Ｈを確実に収納することができる。
【００２４】
又、この場合、図１０、図１１、図１２の如く、上記天板体２の上面前後部にそれぞれ凹溝部８・８が形成され、凹溝部８・８は両端部８ａ・８ａを有する長溝状に形成され、枠本体１の底板１ａの外底面前後部にそれぞれ前後の各凹溝部８・８に摺動自在に嵌合可能な嵌合凸部９・９が形成されているから、図１０、図１１、図１２の如く、複数個の収納ケースを積み重ねた状態において、凹溝部８・８と嵌合凸部９・９との嵌合により、上段の収納ケースの前後方向及び左右方向への滑り落ちを防ぐことができ、積み重ねの安定性を高めることができ、かつ、横幅サイズの異なる収納ケースを用意し、これら収納ケースを上下に積み重ねたとき、引出体３の引出収納方向Ｔに直交する方向の配置位置を自由に変更することができ、積み重ねの配置位置の融通性を高めることができ、各種の使用態様、設置位置、各種の収納物等に応じて積み重ねの配置位置を変えることができ、収納ケースの使用位置の融通性及び使用の利便性を高めることができる。
【００２５】
図１３、図１４の第二形態例は別例構造を示し、この場合、上記第一形態例と同様な底板１ａ、左右の側板１ｂ・１ｂ、後板１ｃからなる前面及び上面が開口した枠本体１を上下に複数個、この場合、三個積み重ね、最上位の枠本体１の上面を天板体２で覆い形成し、各枠本体１・１・１に前面の開口を介して合成樹脂製の三個の引出体３・３・３を引出収納自在に設けてなり、上記複数個の枠本体１・１・１の底板１ａの内底面の左右両側にそれぞれ凹条状のレール溝部４・４が形成され、枠本体１・１・１の底板１ａの内底面の左右両側にそれぞれ各レール溝部４・４の外方位置にして上記引出体３・３・３の左右の側板３ｃ・３ｃの外側面に摺動可能なガイド壁部５・５が形成され、引出体３・３・３の底板３ａの外底面後部左右両側にそれぞれ左右両側のレール溝部４・４に摺動自在に嵌合可能なガイド突部６・６が形成されている。
【００２６】
又、この場合、上記レール溝部４・４の溝面４ａに上記引出体３・３・３の引出収納方向Ｔの手前側Ｔ１及び奥側Ｔ２に上記ガイド突部６・６が落込可能な落込凹部４ｂ・４ｃがそれぞれ形成され、溝面４ａの手前側Ｔ１及び奥側Ｔ２の各落込凹部４ｂ・４ｃの中間部分に山頂部４ｄが形成され、手前側Ｔ１の落込凹部４ｂから山頂部４ｄまでの溝面４ａは手前側Ｔ１から奥側Ｔ２に向かって登り上がる斜面４ｅに形成され、山頂部４ｄから奥側Ｔ２の落込凹部４ｃまでの溝面４ａは水平面４ｆに形成され、ガイド突部６・６は、上記引出体３・３・３の収納時にあっては、手前側Ｔ１の落込凹部４ｂから抜け出し、斜面４ｅを登り上がり摺動し、山頂部４ｄを通過したのち、水平面４ｆを水平摺動して奥側Ｔ２の落込凹部４ｃに落ち込み、上記引出体３の引出時にあっては、奥側Ｔ２の落込凹部４ｃから抜け出し、水平面４ｆを水平摺動し、山頂部４ｄを通過したのち、斜面４ｅを下り降り摺動して手前側Ｔ１の落込凹部４ｂに落ち込むように設けられている。
【００２７】
又、この場合、図１３、図１４の如く、上記最上位の枠本体１の上面を覆う合成樹脂製の天板体２の上面前後部にそれぞれ凹溝部８・８が形成され、凹溝部８・８は両端部８ａ・８ａを有する長溝状に形成され、枠本体１の底板１ａの外底面前後部にそれぞれ前後の各凹溝部８・８に摺動自在に嵌合可能な嵌合凸部９・９が形成されている。
【００２８】
この実施の第二形態例にあっても、上記第一形態例と同様に、各々の引出体３・３・３は引出体３・３・３の左右の側板３ｃ・３ｃの外側面とガイド壁部５・５との摺動案内及びレール溝部４・４とガイド突部６・６との摺動により引出収納されることになり、この摺動案内及び摺動により引出体３・３・３を枠本体１・１・１に対して容易に引出収納することができ、使用の利便性を高めることができる。
【００２９】
又、この場合、上記レール溝部４・４の溝面４ａに上記引出体３・３・３の引出収納方向Ｔの手前側Ｔ１及び奥側Ｔ２に上記ガイド突部６・６が落込可能な落込凹部４ｂ・４ｃがそれぞれ形成され、溝面４ａの手前側Ｔ１及び奥側Ｔ２の各落込凹部４ｂ・４ｃの中間部分に山頂部４ｄが形成され、手前側Ｔ１の落込凹部４ｂから山頂部４ｄまでの溝面４ａは手前側Ｔ１から奥側Ｔ２に向かって登り上がる斜面４ｅに形成され、山頂部４ｄから奥側Ｔ２の落込凹部４ｃまでの溝面４ａは水平面４ｆに形成され、ガイド突部６・６は、上記引出体３・３・３の収納時にあっては、手前側Ｔ１の落込凹部４ｂから抜け出し、斜面４ｅを登り上がり摺動し、山頂部４ｄを通過したのち、水平面４ｆを水平摺動して奥側Ｔ２の落込凹部４ｃに落ち込み、上記引出体３・３・３の引出時にあっては、奥側Ｔ２の落込凹部４ｃから抜け出し、水平面４ｆを水平摺動し、山頂部４ｄを通過したのち、斜面４ｅを下り降り摺動して手前側Ｔ１の落込凹部４ｂに落ち込むように設けられているから、引出体３・３・３を枠本体１・１・１内から引き出すときは、奥側Ｔ２の落込凹部４ｃ・４ｃに落ち込んでいるガイド突部６・６は落込凹部４ｃ・４ｃから抜け出し、水平面４ｆを水平摺動し、中間部分の山頂部４ｄを通過したのち、斜面４ｅ・４ｅを下り降り摺動して手前側Ｔ１の落込凹部４ｂ・４ｂに落ち込むことになり、又、逆に、引出体３・３・３を枠本体１・１・１内に収納するときは、手前側Ｔ１の落込凹部４ｂ・４ｂに落ち込んでいるガイド突部６・６は落込凹部４ｂ・４ｂから抜け出し、落込凹部４ｂ・４ｂから抜け出したガイド突部６・６は斜面４ｅを登り上がり摺動し、中間部分の山頂部４ｄを通過したのち、ガイド突部６・６は水平面４ｆを水平摺動して奥側Ｔ２の落込凹部４ｃ・４ｃに落ち込むことになり、したがって、引出体３・３・３の収納時においては、手前側Ｔ１の落込凹部４ｂ・４ｂから中間部分までは比較的強い力で摺動させたのち、軽い力で水平摺動させ、その後、奥側Ｔ２の落込凹部４ｃ・４ｃに落ち込ませ、引出時においては、中間部分までは軽い力で水平摺動させたのち、さらに軽い力で下り降り摺動させ、その後、手前側Ｔ１の落込凹部４ｂ・４ｂに落ち込ませることができ、収納時には斜面４ｅ・４ｅを登り上がり摺動したのち水平摺動するので、引出体３・３・３を楽に収納することができると共に水平面４ｆを摺動してきたガイド突部６・６は奥側Ｔ２の落込凹部４ｃ・４ｃに急に落ち込むため引出体３・３・３が完全に収納されたことを手応えで感得することもでき、かつ、ガイド突部６・６と落込凹部４ｂ・４ｂ・４ｃ・４ｃとの落込み及び抜出作用により引出体３・３・３を収納端及び引出端に確実に位置させることができ、枠本体１・１・１の設置状態や引出体３・３・３内の収納物の収納状態、あるいは外力が加わった場合等において、引出体３・３・３が前方に飛び出してくることを防ぐことができ、しかも、引出時には中間部分から斜面４ｅ・４ｅを下り降り摺動するので、引出体３・３・３を楽に引き出すことができ、使用の利便性及び使用の安全性を高めることができる。
【００３０】
この場合、図１３、図１４の如く、上記最上位の枠本体１の上面を覆う合成樹脂製の天板体２の上面前後部にそれぞれ凹溝部８・８が形成され、凹溝部８・８は両端部８ａ・８ａを有する長溝状に形成され、枠本体１の底板１ａの外底面前後部にそれぞれ前後の各凹溝部８・８に摺動自在に嵌合可能な嵌合凸部９・９が形成されているから、複数個の収納ケースを積み重ねた状態において、凹溝部８・８と嵌合凸部９・９との嵌合により、上段の収納ケースの前後方向及び左右方向への滑り落ちを防ぐことができ、積み重ねの安定性を高めることができ、かつ、横幅サイズの異なる収納ケースを用意し、これら収納ケースを上下に積み重ねたとき、引出体３・３・３の引出収納方向Ｔに直交する方向の配置位置を自由に変更することができ、積み重ねの配置位置の融通性を高めることができ、各種の使用態様、設置位置、各種の収納物等に応じて積み重ねの配置位置を変えることができ、収納ケースの使用位置の融通性及び使用の利便性を高めることができる。
【００３１】
尚、本発明は上記実施の形態例のものに限られるものではなく、例えば、枠本体１の数、段数、大きさ、引出体３の個数、構造は用途に応じて定められる。
【００３２】
以上の如く、所期の目的を充分達成することができる。
【符号の説明】
【００３３】
Ｔ    引出収納方向
Ｔ１    手前側
Ｔ２    奥側
１    枠本体
１ａ    底板
１ｂ    側板
１ｃ    後板
１ｅ    突部
２    天板体
３    引出体
３ａ    底板
３ｂ    前板
３ｃ    側板
３ｄ    後板
３ｅ    凸状部
４    レール溝部
４ａ    溝面
４ｂ    落込凹部
４ｃ    落込凹部
４ｄ    山頂部
４ｅ    斜面
４ｆ    水平面
５    ガイド壁部
６    ガイド突部
【図１】
0005858488.tif 000002
【図２】
0005858488.tif 000003
【図３】
0005858488.tif 000004
【図４】
0005858488.tif 000005
【図５】
0005858488.tif 000006
【図６】
0005858488.tif 000007
【図７】
0005858488.tif 000008
【図８】
0005858488.tif 000009
【図９】
0005858488.tif 000010
【図１０】
0005858488.tif 000011
【図１１】
0005858488.tif 000012
【図１２】
0005858488.tif 000013
【図１３】
0005858488.tif 000014
【図１４】
0005858488.tif 000015